【手続補正書】
【提出日】平成25年9月19日(2013.9.19)
【手続補正１】
【補正対象書類名】特許請求の範囲
【補正対象項目名】全文
【補正方法】変更
【補正の内容】
【特許請求の範囲】
【請求項１】
ＵＳＢ（Ｕｎｉｖｅｒｓａｌ  Ｓｅｒｉａｌ  Ｂｕｓ）規格に対応した第１の装置とＳＡＳ（Ｓｅｒｉａｌ  Ａｔｔａｃｈｅｄ  ＳＣＳＩ）規格に対応した第２の装置との間の通信路上に設けられる変換装置であって、
前記ＵＳＢ規格に準拠し、前記第１の装置との通信を制御する第１の通信制御部と、
前記ＳＡＳ規格に準拠し、前記第２の装置との通信を制御する第２の通信制御部と、
前記第２の通信制御部を介して入力された前記第２の装置からのセンスデータが入力されると該センスデータを記憶し、コマンド失敗を意味するステータス情報を前記ＵＳＢ規格に対応した情報形式で前記第１の通信制御部を介して前記第１の装置に出力し、前記第１の通信制御部を介して前記第１の装置から前記ステータス情報に対するセンスデータ要求コマンドが入力されると、前記記憶されたセンスデータを前記第１の通信制御部を介して前記第１の装置に出力する処理装置とを備え、
前記処理装置は、前記コマンド失敗を意味するステータス情報を前記第１の通信制御部を介して前記第１の装置に出力すると、異常発生フラグをセット状態とし、
前記センスデータ要求コマンドは、前記異常発生フラグがセット状態のときに入力されたセンスデータ要求コマンドであることを特徴とする変換装置。
【請求項２】
前記処理装置は、前記コマンド失敗を意味するステータス情報を前記第１の通信制御部を介して前記第１の装置に出力した後に、前記第１の通信制御部を介して前記第１の装置からコマンドを受け取ると、前記異常発生フラグをリセット状態にすることを特徴とする請求項１に記載の変換装置。
【請求項３】
前記処理装置は、前記記憶されたセンスデータを前記第１の通信制御部を介して前記第１の装置に出力すると、前記記憶されたセンスデータを消去することを特徴とする請求項１または２に記載の変換装置。
【請求項４】
前記ＵＳＢ（Ｕｎｉｖｅｒｓａｌ  Ｓｅｒｉａｌ  Ｂｕｓ）規格に対応した第１の装置と接続される請求項１〜３のいずれか一項に記載の変換装置と、
前記変換装置の第２の通信制御部に接続され、ＳＡＳ（Ｓｅｒｉａｌ  Ａｔｔａｃｈｅｄ  ＳＣＳＩ）規格に対応した第２の装置と、を備える情報処理システム。
【請求項５】
請求項１〜３のいずれか一項に記載の変換装置と、
前記変換装置の第１の通信制御部に接続され、ＵＳＢ（Ｕｎｉｖｅｒｓａｌ  Ｓｅｒｉａｌ  Ｂｕｓ）規格に対応した第１の装置と、
前記変換装置の第２の通信制御部に接続され、ＳＡＳ（Ｓｅｒｉａｌ  Ａｔｔａｃｈｅｄ  ＳＣＳＩ）規格に対応した第２の装置と、を備える情報処理システム。
【請求項６】
ＵＳＢ（Ｕｎｉｖｅｒｓａｌ  Ｓｅｒｉａｌ  Ｂｕｓ）規格に対応した第１の装置とＳＡＳ（Ｓｅｒｉａｌ  Ａｔｔａｃｈｅｄ  ＳＣＳＩ）規格に対応した第２の装置との間の通信路上に設けられる変換装置における変換方法であって、
前記第２の装置からのセンスデータを、前記第１の装置に出力することなく一時的に保存する工程と、
コマンド失敗を意味するステータス情報を前記ＵＳＢ規格に対応した情報形式で前記第１の装置に出力する工程と、
前記第１の装置から前記ステータス情報に対するセンスデータ要求コマンドが入力されたときに、前記一時的に保存されているセンスデータを前記第１の装置に出力する工程と、
異常発生フラグをセット状態とする工程とを含み、
前記センスデータを前記第１の装置に出力する工程では、前記異常発生フラグがセット状態のときに入力されたセンスデータ要求コマンドを、前記ステータス情報に対するセンスデータ要求コマンドとすることを特徴とする変換方法。
【請求項７】
前記ステータス情報を前記第１の装置に出力した後に、前記第１の装置からコマンドが入力されると、前記異常発生フラグをリセット状態とする工程を更に含むことを特徴とする請求項６に記載の変換方法。
【請求項８】
前記ステータス情報を前記第１の装置に出力する工程に続いて、
前記一時的に保存されているセンスデータを消去する工程を更に含むことを特徴とする請求項６または７に記載の変換方法。
【請求項９】
ＵＳＢ（Ｕｎｉｖｅｒｓａｌ  Ｓｅｒｉａｌ  Ｂｕｓ）規格に対応した第１の装置とＳＡＳ（Ｓｅｒｉａｌ  Ａｔｔａｃｈｅｄ  ＳＣＳＩ）規格に対応した第２の装置との間の通信路上に設けられた変換装置に用いられるプログラムであって、
前記第２の装置からのセンスデータを、前記第１の装置に出力することなく一時的に保存する手順と、
コマンド失敗を意味するステータス情報を前記ＵＳＢ規格に対応した情報形式で前記第１の装置に出力する手順と、
前記第１の装置から前記ステータス情報に対するセンスデータ要求コマンドが入力されたときに、前記一時的に保存されているセンスデータを前記第１の装置に出力する手順と、
異常発生フラグをセット状態とする手順とを前記制御用コンピュータに実行させ、
前記センスデータを前記第１の装置に出力する手順では、前記異常発生フラグがセット状態のときに入力されたセンスデータ要求コマンドを、前記ステータス情報に対するセンスデータ要求コマンドとすることを特徴とするプログラム。
【請求項１０】
前記ステータス情報を前記第１の装置に出力した後に、前記第１の装置からコマンドを受け取ると、前記異常発生フラグをリセット状態とする手順を前記制御用コンピュータに更に実行させることを特徴とする請求項９に記載のプログラム。
【請求項１１】
前記ステータス情報を前記第１の装置に出力する手順に続いて、
前記一時的に保存されているセンスデータを消去する手順を前記制御用コンピュータに更に実行させることを特徴とする請求項９または１０に記載のプログラム。
【請求項１２】
請求項９〜１１のいずれか一項に記載のプログラムが記録されたコンピュータ読み取り可能な記録媒体。
【手続補正２】
【補正対象書類名】明細書
【補正対象項目名】００２４
【補正方法】変更
【補正の内容】
【００２４】
本発明は、第１の観点からすると、ＵＳＢ規格に対応した第１の装置とＳＡＳ規格に対応した第２の装置との間の通信路上に設けられる変換装置であって、前記ＵＳＢ規格に準拠し、前記第１の装置との通信を制御する第１の通信制御部と、前記ＳＡＳ規格に準拠し、前記第２の装置との通信を制御する第２の通信制御部と、前記第２の通信制御部を介して入力された前記第２の装置からのセンスデータが入力されると該センスデータを記憶し、コマンド失敗を意味するステータス情報を前記ＵＳＢ規格に対応した情報形式で前記第１の通信制御部を介して前記第１の装置に出力し、前記第１の通信制御部を介して前記第１の装置から前記ステータス情報に対するセンスデータ要求コマンドが入力されると、前記記憶されたセンスデータを前記第１の通信制御部を介して前記第１の装置に出力する処理装置とを備え、前記処理装置は、前記コマンド失敗を意味するステータス情報を前記第１の通信制御部を介して前記第１の装置に出力すると、異常発生フラグをセット状態とし、前記センスデータ要求コマンドは、前記異常発生フラグがセット状態のときに入力されたセンスデータ要求コマンドであることを特徴とする変換装置である。
【手続補正３】
【補正対象書類名】明細書
【補正対象項目名】００３０
【補正方法】変更
【補正の内容】
【００３０】
本発明は、第４の観点からすると、ＵＳＢ規格に対応した第１の装置とＳＡＳ規格に対応した第２の装置との間の通信路上に設けられる変換装置における変換方法であって、前記第２の装置からのセンスデータを、前記第１の装置に出力することなく一時的に保存する工程と、コマンド失敗を意味するステータス情報を前記ＵＳＢ規格に対応した情報形式で前記第１の装置に出力する工程と、前記第１の装置から前記ステータス情報に対するセンスデータ要求コマンドが入力されたときに、前記一時的に保存されているセンスデータを前記第１の装置に出力する工程と、異常発生フラグをセット状態とする工程とを含み、前記センスデータを前記第１の装置に出力する工程では、前記異常発生フラグがセット状態のときに入力されたセンスデータ要求コマンドを、前記ステータス情報に対するセンスデータ要求コマンドとすることを特徴とする変換方法である。
【手続補正４】
【補正対象書類名】明細書
【補正対象項目名】００３２
【補正方法】変更
【補正の内容】
【００３２】
本発明は、第５の観点からすると、ＵＳＢ規格に対応した第１の装置とＳＡＳ規格に対応した第２の装置との間の通信路上に設けられた変換装置に用いられるプログラムであって、前記第２の装置からのセンスデータを、前記第１の装置に出力することなく一時的に保存する手順と、コマンド失敗を意味するステータス情報を前記ＵＳＢ規格に対応した情報形式で前記第１の装置に出力する手順と、前記第１の装置から前記ステータス情報に対するセンスデータ要求コマンドが入力されたときに、前記一時的に保存されているセンスデータを前記第１の装置に出力する手順と、異常発生フラグをセット状態とする手順とを前記制御用コンピュータに実行させ、前記センスデータを前記第１の装置に出力する手順では、前記異常発生フラグがセット状態のときに入力されたセンスデータ要求コマンドを、前記ステータス情報に対するセンスデータ要求コマンドとすることを特徴とするプログラムである。